(57)【要約】【課題】表示部も操作部も装備しない映像送信装置から映像受信表示装置への映像無線通信規格に従った接続を可能とする。【解決手段】映像送信装置から映像受信表示装置に対して、１対１の直接的な無線通信により映像を伝送するための映像無線伝送規格に従って映像を伝送して表示を行なう映像表示システムにおいて、映像受信表示装置は、映像送信装置との間で映像無線伝送規格に従った第１の接続のために実行する映像送信装置との間でのピアツーピアの第２の接続の確立の際に、映像無線伝送規格に従った接続対象であることを示す接続識別情報を、映像送信装置に対して送信する。映像送信装置は、接続識別情報が、映像送信装置に格納されている接続識別情報と整合する場合に、映像受信表示装置との間での映像無線伝送規格に従った第１の接続の処理を実行する。【選択図】図５
2015126304.tif 000002
【特許請求の範囲】
【請求項１】
映像送信装置から映像受信表示装置に対して、１対１の直接的な無線通信により映像を伝送するための映像無線伝送規格に従って映像を伝送して表示を行なう映像表示システムであって、
前記映像受信表示装置は、前記映像送信装置との間で前記映像無線伝送規格に従った第１の接続のために実行する前記映像送信装置との間でのピアツーピアの第２の接続の確立の際に、前記映像無線伝送規格に従った接続対象であることを示す接続識別情報を、前記映像送信装置に対して送信し、
前記映像送信装置は、前記接続識別情報が、前記映像送信装置に格納されている接続識別情報と整合する場合に、前記映像受信表示装置との間での前記映像無線伝送規格に従った前記第１の接続の処理を実行する
ことを特徴とする映像表示システム。
【請求項２】
請求項１に記載の映像表示システムにおいて、
前記接続識別情報は、前記ピアツーピアの前記第２の接続の確立の処理の中で、前記映像受信表示装置から前記映像送信装置に送信される前記映像受信表示装置に固有の識別情報である
ことを特徴とする映像表示システム。
【請求項３】
請求項１に記載の映像表示システムにおいて、
前記接続識別情報は前記映像送信装置が提供する固有情報であり、
前記映像受信表示装置は、前記固有情報を取得するための固有情報取得装置を備え、前記ピアツーピアの前記第２の接続の確立の処理の開始前に、前記固有情報取得装置によって前記映像送信装置が提供する固有情報を取得し、前記ピアツーピアの前記第２の接続の確立後に、取得した前記固有情報を前記接続識別情報として前記映像送信装置に送信する
ことを特徴とする映像表示システム。
【請求項４】
請求項３に記載の映像表示システムにおいて、
前記映像送信装置が提供する固有情報の取得は、
前記固有情報取得装置が前記映像送信装置に設けられたＱＲコードの情報を読み取ることと、
前記固有情報取得装置が前記映像送信装置に設けられた特定表示パターンの情報を読み取ることと、
前記固有情報取得装置が前記映像送信装置に設けられたＲＦタグの情報を読み取ることと、
前記固有情報取得装置が前記映像送信装置に設けられた発光部が発光する特定発光パターンの表す情報を読み取ることと、
のうちのいずれかによって実行されることを特徴とする映像表示システム。
【請求項５】
請求項３または請求項４に記載の映像表示システムにおいて、
前記映像受信表示装置は、頭部装着型表示装置であり、
前記固有情報は、前記映像送信装置が前記頭部装着型表示装置でシースルー表示される際に、前記映像送信装置に重ねて表示されることを特徴とする映像表示システム。
【請求項６】
映像送信側の映像送信装置から映像受信側の映像受信表示装置に対して、１対１の直接的な無線通信により映像を伝送するための映像無線伝送規格に従って映像を伝送して表示を行なう映像表示システムにおいて、前記映像送信装置と前記映像受信表示装置との間の前記映像無線伝送規格に従った接続方法であって、
前記映像受信表示装置において、前記映像送信装置との間で前記映像無線伝送規格に従った第１の接続のために実行する前記映像送信装置との間でのピアツーピアの第２の接続の確立の際に、前記映像無線伝送規格に従った接続対象であることを示す接続識別情報を、前記映像送信装置に対して送信し、
前記映像送信装置において、前記接続識別情報が、前記映像送信装置に格納されている接続識別情報と整合する場合には、前記映像受信表示装置との間での前記映像無線伝送規格に従った前記第１の接続の処理を実行する
ことを特徴とする接続方法。
【請求項７】
映像送信装置から映像受信表示装置に対して、１対１の直接的な無線通信により映像を伝送するための映像無線伝送規格に従って映像を伝送して表示を行なう映像表示システムに対応する映像送信装置であって、
前記映像受信表示装置との間で前記映像無線伝送規格に従った第１の接続のために実行する前記映像受信表示装置との間でのピアツーピアの第２の接続の確立の際に、前記映像受信表示装置から送信され、前記映像無線伝送規格に従った接続対象であることを示す接続識別情報が、格納されている接続識別情報と整合する場合には、前記映像受信表示装置との間での前記映像無線伝送規格に従った前記第１の接続の処理を実行する
ことを特徴とする映像送信装置。
【請求項８】
映像送信装置から映像受信表示装置に対して、１対１の直接的な無線通信により映像を伝送するための映像無線伝送規格に従って映像を伝送して表示を行なう映像表示システムに対応する映像受信表示装置であって、
前記映像送信装置が提供する固有情報を取得するための固有情報取得装置を備え、
前記映像受信表示装置との間で前記映像無線伝送規格に従った第１の接続のために実行する前記映像受信表示装置との間でのピアツーピアの第２の接続の確立の処理の開始前に、前記固有情報取得装置によって前記映像送信装置が提供する固有情報を取得し、前記ピアツーピアの前記第２の接続の確立後に、取得した前記固有情報を、前記映像無線伝送規格に従った接続対象であることを示す接続識別情報として前記映像送信装置に送信する
ことを特徴とする映像受信表示装置。
【発明の詳細な説明】
【技術分野】
【０００１】
本発明は、映像表示システムおよび映像表示システムを構成する映像送信装置と映像受信表示装置との間の前記映像無線伝送規格に従った接続方法、並びに、映像送信装置および映像受信表示装置に関する。
【背景技術】
【０００２】
１対１の直接的な無線通信により映像や音声を伝送するための映像無線伝送規格として、例えば、Wi-Fi Allianceによって策定された「Ｍｉｒａｃａｓｔ」がある。Ｍｉｒａｃａｓｔ（「Wi-Fi Display（ＷＦＤ）」とも呼ばれる）に対応した装置として、スマートフォンや、タブレット端末、テレビジョン（以下、単に「テレビ」と呼ぶ）、ディスプレイ、ゲーム機、アダプター等の種々の装置の開発が進められている。例えば、スマートフォンやタブレット端末等の映像の出力機能を有する装置（「ソースデバイス」とも呼ぶ）は、テレビやディスプレイ等の装置（「ディスプレイデバイス」あるいは「シンクデバイス」とも呼ぶ）に、映像（「画像」とも呼ぶ）の情報を、Wi-Fiネットワークのような無線ネットワークを介することなく直接的に無線にて伝送し、映像を表示することができる。また、ソースデバイスは、Ｍｉｒａｃａｓｔに非対応のディスプレイデバイス（「Ｍｉｒａｃａｓｔ非対応シンクデバイス」とも呼ぶ）に、Ｍｉｒａｃａｓｔに対応したシンクデバイスとして機能するアダプターを仲介装置として使用して、映像情報を伝送し、映像を表示することもできる。
【先行技術文献】
【特許文献】
【０００３】
【特許文献１】特表２０１３−５１１２３５号公報
【特許文献２】特開２０１２−４４４２９号公報
【発明の概要】
【発明が解決しようとする課題】
【０００４】
ここで、Ｍｉｒａｃａｓｔに非対応の映像再生装置（「Ｍｉｒａｃａｓｔ非対応ソースデバイス」とも呼ぶ）で再生した映像を、シンクデバイスにて表示する場合にも、Ｍｉｒａｃａｓｔ非対応ソースデバイスとシンクデバイスとの間の仲介装置として、Ｍｉｒａｃａｓｔに対応したソースデバイスとして機能するアダプターを使用することが考えられる。映像再生装置としては、例えば、ＤＶＤ（Digital Versatile Disk）レコーダーや、ＤＶＤプレーヤー、ブルーレイディスク（Blue-ray Disk ；ＢＤ）レコーダー、ＢＤプレーヤー、ＨＤＤ（Hard Disk Drive）レコーダー、ビデオカメラ等の種々の装置が挙げられる。また、シンクデバイスとしては、スマートフォンやタブレット端末（personal Computer）、ノートＰＣ、携帯型情報端末、プロジェクター、頭部装着型表示装置（ヘッドマウントディスプレイ（Head Mounted Display;ＨＭＤ））等の、表示部および操作部を有する種々の装置が挙げられる。
【０００５】
Ｍｉｒａｃａｓｔに対応したソースデバイスとして機能するアダプターは、Ｍｉｒａｃａｓｔ非対応ソースデバイスとシンクデバイスとの間の仲介を行なう機能のみを備える構成とすれば良いため、スマートフォンやタブレット端末のような従来のソースデバイスに通常備えている表示部や操作部を省略し、小型化、簡素化を図ることが望ましい。
【０００６】
しかしながら、表示部も操作部も装備しないソースデバイスは、接続すべきシンクデバイスを選択することができないため、ソースデバイスからシンクデバイスへのＭｉｒａｃａｓｔの手順に従った接続を確立することができない、という問題がある。仮に、シンクデバイスに表示部および操作部が装備されていたとしても、従来から、ソースデバイスとシンクデバイスとの接続は、ソースデバイス側でシンクデバイスを選択してＭｉｒａｃａｓｔの手順に従って接続する手順を採用した構成しかなく、シンクデバイス側でソースデバイスを選択して接続する構成のものは存在しなかった。
【０００７】
なお、特許文献１には、シンクデバイスに対応する第２ＷＦＤデバイスにおいて支援するWi-Fi Displayサービスの、ソースデバイスに対応する第１ＷＦＤデバイスにおける検索方法およびその装置について開示されているのみである。従って、特許文献１には、表示部も操作部も装備しないソースデバイスからシンクデバイスへのＭｉｒａｃａｓｔの手順に従った接続を行なうことができない、という問題に関する何らの記載も示唆もない。
【０００８】
また、特許文献２には、携帯情報処理装置とＨＭＤとの間が無線通信により接続されている映像表示システムについて開示されており、無線通信としては、Bluetooth（登録商標）又は無線LAN（Local Area Network）が例示されているのみである。従って、特許文献２には、特許文献１と同様に、表示部も操作部も装備しないソースデバイスからシンクデバイスへのＭｉｒａｃａｓｔの手順に従った接続を行なうことができない、という問題に関する何らの記載も示唆もない。
【０００９】
以上、Ｍｉｒａｃａｓｔを例に課題を説明したが、１対１の直接的な無線通信により映像や音声を伝送するための映像無線伝送規格に従って映像送信装置と映像受信表示装置とを接続し、映像と音声を伝送するシステムにおいて共通する課題である。
【課題を解決するための手段】
【００１０】
本発明は、上述の課題の少なくとも一部を解決するためになされたものであり、以下の形態として実現することが可能である。
【００１１】
（１）発明の形態によれば、映像送信装置から映像受信表示装置に対して、１対１の直接的な無線通信により映像を伝送するための映像無線伝送規格に従って映像を伝送して表示を行なう映像表示システムが提供される。この映像表示システムでは、前記映像受信表示装置は、前記映像送信装置との間で前記映像無線伝送規格に従った第１の接続のために実行する前記映像送信装置との間でのピアツーピアの第２の接続の確立の際に、前記映像無線伝送規格に従った接続対象であることを示す接続識別情報を、前記映像送信装置に対して送信し；前記映像送信装置は、前記接続識別情報が、前記映像送信装置に格納されている接続識別情報と整合する場合に、前記映像受信表示装置との間での前記映像無線伝送規格に従った前記第１の接続の処理を実行する。これにより、映像送信装置では、映像受信表示装置から送信される接続識別情報が、映像送信装置に格納されている接続識別情報と整合する場合に、その映像受信表示装置を映像無線規格に従った接続対象の映像受信表示装置として選択して、その映像受信表示装置との間での前記映像無線伝送規格に従った第１の接続の処理を実行することができる。従って、表示部も操作部も装備しない映像送信装置が、接続すべき映像受信表示装置を選択することができないため、映像送信装置から映像受信表示装置への映像無線通信規格に従って接続を行なうことができない、という問題を解決することができる。なお、映像の伝送には、映像を表す映像信号のみの伝送だけでなく、映像信号および音声を表す音声信号を含む伝送であってもよい。
【００１２】
（２）上記形態の映像表示装置において、前記接続識別情報は、前記ピアツーピアの前記第２の接続の確立の処理の中で、前記映像受信表示装置から前記映像送信装置に送信される前記映像受信表示装置に固有の識別情報とすることができる。映像受信表示装置に固有の識別情報を接続識別情報とすることにより、映像送信装置では、ピアツーピアの第２の接続の確立の処理の中で、必然的に送信されてくる映像受信表示装置に固有の識別情報に基づいて、固有の識別情報を送信してきた映像受信表示装置を映像無線規格に従った接続対象の映像受信表示装置として容易に選択することができ、映像送信装置と映像受信表示装置との間での映像無線伝送規格に従った第１の接続の処理を実行することができる。
【００１３】
（３）上記形態の映像表示システムにおいて、前記接続識別情報は前記映像送信装置が提供する固有情報であり、前記映像受信表示装置は、前記映像受信表示装置は、前記固有情報を取得するための固有情報取得装置を備え、前記ピアツーピアの前記第２の接続の確立の処理の開始前に、前記固有情報取得装置によって前記映像送信装置が提供する固有情報を取得し、前記ピアツーピアの前記第２の接続の確立後に、取得した前記固有情報を前記接続識別情報として前記映像送信装置に送信することもできる。映像送信装置と映像受信表示装置との間のピアツーピアの第２の接続の確立後に、映像送信装置では、あらかじめ映像受信表示装置において取得されていた映像送信装置が提供する固有情報を接続識別情報として映像受信表示装置から受信する。そして、映像送信装置では、受信した接続識別情報としての固有情報に基づいて、固有情報を送信してきた映像受信表示装置を映像無線規格に従った接続対象の映像受信表示装置として容易に選択することができ、映像送信装置と映像受信表示装置との間での映像無線伝送規格に従った第１の接続の処理を実行することができる。
【００１４】
（４）上記形態の映像表示システムにおいて、前記映像送信装置が提供する固有情報の取得は、前記固有情報取得装置が前記映像送信装置に設けられたＱＲコード（登録商標）の情報を読み取ることと、前記固有情報取得装置が前記映像送信装置に設けられた特定表示パターンの情報を読み取ることと、前記固有情報取得装置が前記映像送信装置に設けられたＲＦタグの情報を読み取ることと、前記固有情報取得装置が前記映像送信装置に設けられた発光部が発光する特定発光パターンの表す情報を読み取ることと、のうちのいずれかによって実行されるようにしてもよい。このようにすれば、映像送信装置が提供する固有情報を容易に取得することができる。
【００１５】
（５）上記形態の映像表示システムにおいて、前記映像受信表示装置は、頭部装着型表示装置であり、前記固有情報は、前記映像送信装置が前記頭部装着型表示装置でシースルー表示される際に、前記映像送信装置に重ねて表示されるようにしてもよい。接続識別情報としての固有情報が提供されている映像送信装置を頭部装着型表示装置で容易に確認することができる。
【００１６】
なお、本発明は、以下に示すような種々の態様で実現することが可能である。
（ａ）映像表示システム、映像表示方法。
（ｂ）映像表示システムおける映像送信装置と映像受信表示装置との間の映像無線通信規格に従った接続方法。
（ｃ）映像表示システムに対応する映像送信装置、映像表示システムに対応する映像受信表示装置。
【図面の簡単な説明】
【００１７】
【図１】本発明の第１実施形態における映像表示システムの概略構成を示す説明図である。
【図２】ヘッドマウントディスプレイの構成を機能的に示すブロック図である。
【図３】使用者に視認される虚像の一例を示す説明図である。
【図４】Ｍｉｒａｃａｓｔアダプターの構成を機能的に示すブロック図である。
【図５】Ｍｉｒａｃａｓｔアダプターがソースモードの場合のＭｉｒａｃａｓｔアダプターとＨＭＤとの間のＭｉｒａｃａｓｔに従った接続の手順を示す説明図である。
【図６】Ｍｉｒａｃａｓｔ接続のためのメニュー画面の一例を示す説明図である。
【図７】シンクデバイスにおけるソースデバイス検出によって検出された接続可能ソースデバイスの表示画面の一例を示す説明図である。
【図８】Ｍｉｒａｃａｓｔ設定情報にあらかじめ格納されている接続可能デバイスリストの一例を示す説明図である。
【図９】ＨＭＤで表示される映像再生画面を示す説明図である。
【図１０】図９に示した終了アイコンのタップ時に表示される確認画面を示す説明図である。
【図１１】パススルーモードにおけるＭｉｒａｃａｓｔアダプターの構成を機能的に示すブロック図である。
【図１２】第２実施形態においてＭｉｒａｃａｓｔアダプターがソースモードの場合のＭｉｒａｃａｓｔアダプターとＨＭＤとの間のＭｉｒａｃａｓｔに従った接続の手順を示す説明図である。
【発明を実施するための形態】
【００１８】
Ａ．第１実施形態：
Ａ１．映像表示システムの構成：
図１は、本発明の第１実施形態における映像表示システム１０００の概略構成を示す説明図である。映像表示システム１０００は、頭部装着型表示装置１００と、Ｍｉｒａｃａｓｔアダプター３００と、映像機器４００と、表示装置５００と、コンピューター６００と、を備えている。頭部装着型表示装置１００および表示装置５００は、「映像表示装置」あるいは「画像表示装置」とも呼ばれる。映像表示システム１０００は、以下で説明するように、Ｍｉｒａｃａｓｔに非対応の映像機器４００で再生される映像を、Ｍｉｒａｃａｓｔに対応のＭｉｒａｃａｓｔアダプター３００からＭｉｒａｃａｓｔに対応の頭部装着型表示装置１００へ無線伝送し、頭部装着型表示装置１００において表示させるシステムである。また、映像表示システム１０００は、頭部装着型表示装置１００に表示されている映像や再生される映像を、頭部装着型表示装置１００からＭｉｒａｃａｓｔアダプター３００に無線伝送し、Ｍｉｒａｃａｓｔに非対応のＴＶ５００において表示させるシステムでもある。Ｍｉｒａｃａｓｔは、１対１の直接的な無線通信により映像や音声（以下、単に「映像等」と略す）を伝送するための映像無線伝送規格の一つとして、Wi-Fi Allianceによって策定された規格である。Ｍｉｒａｃａｓｔによる伝送は、映像の伝送（具体的には映像情報の伝送）のみの場合と、映像および音声の伝送（具体的には映像情報および音声情報を含む伝送）の場合と、音声の伝送のみの場合の、いずれにも適用される。なお、Ｍｉｒａｃａｓｔアダプター３００が本発明の映像送信装置に相当し、ＨＭＤ１００が本発明の映像受信表示装置に相当する。
【００１９】
Ｍｉｒａｃａｓｔアダプター３００は、電源ボタン３０１と、パススルー（Pass Through）ボタン３０３と、Ｍｉｒａｃａｓｔ切替スイッチ３０５、点灯部３０７と、不図示のＨＤＭＩ（High-Definition Multimedia Interface、登録商標）入力端子および出力端子と、不図示の２つのＭｉｃｒｏＵＳＢ（Universal Serial Bus）端子と、を備えている。
【００２０】
一方のＭｉｃｒｏＵＳＢ（以下、単に「ＵＳＢ」と略す）端子には、ＵＳＢケーブル３３４を介してＡＣアダプター３３２が接続されており、Ｍｉｒａｃａｓｔアダプター３００への直流電源の供給が行われる。他方のＵＳＢ端子には、ＵＳＢケーブル６０２を介してコンピューター６００のＵＳＢ端子が接続されており、Ｍｉｒａｃａｓｔアダプター３００とコンピューター６００との間で有線通信が可能となり、例えば、コンピューター６００によってＭｉｒａｃａｓｔアダプター３００の動作条件を設定することが可能である。なお、コンピューター６００は、情報通信端末である。本実施形態では、コンピューター６００としてノートパソコンを例示するが、コンピューター６００は、デスクトップパソコン、タブレット端末、スマートフォン（smartphone）、携帯電話、ＰＤＡ（personal Digital Assistant）等の他の情報通信端末により構成されてもよい。
【００２１】
ＨＤＭＩ入力端子には、ＨＤＭＩケーブル４０２を介して映像機器４００のＨＤＭＩ出力端子（不図示）が接続されており、映像機器４００で再生される映像等がＨＤＭＩケーブル４０２を介してＭｉｒａｃａｓｔアダプター３００に伝送可能である。また、Ｍｉｒａｃａｓｔアダプター３００のＨＤＭＩ出力端子には、ＨＤＭＩケーブル５０２を介して表示装置５００のＨＤＭＩ入力端子（不図示）が接続されており、表示装置５００では、Ｍｉｒａｃａｓｔアダプター３００からＨＤＭＩケーブル５０２を介して伝送される映像の表示や音声の出力（以下、「映像等の再生」とも呼ぶ）が可能である。
【００２２】
Ｍｉｒａｃａｓｔ切替スイッチ３０５は、ソースモードＭＴｘあるいはシンクモードＭＲｘの２つのモードのいずれか一方を選択するスイッチである。Ｍｉｒａｃａｓｔ切替スイッチ３０５によってソースモードＭＴｘが選択された場合、Ｍｉｒａｃａｓｔアダプター３００では、外部機器からＨＤＭＩに従って入力される映像等をＭｉｒａｃａｓｔに従って無線送信する機能（以下、「ソース機能」あるいは「ソースモード」とも呼ぶ）が実行可能状態となる。一方、Ｍｉｒａｃａｓｔ切替スイッチ３０５によってシンクモードＭＲｘが選択された場合、Ｍｉｒａｃａｓｔアダプター３００では、Ｍｉｒａｃａｓｔに従って無線受信する映像等をＨＤＭＩに従って外部機器に有線送信する機能（以下、「シンク機能」あるいは「シンクモード」とも呼ぶ）が実行可能となる。Ｍｉｒａｃａｓｔアダプター３００は、本実施形態では、後述するように、頭部装着型表示装置１００との間でＭｉｒａｃａｓｔに従ってソースモードあるいはシンクモードにて無線接続される。
【００２３】
点灯部３０７は、２つのＬＥＤ（Light Emitting Diode）３０７Ａ，３０７Ｂを備えており、２つのＬＥＤ３０７Ａ，３０７Ｂの発光態様によって、Ｍｉｒａｃａｓｔアダプター３００の動作状態、例えば、電源のＯＮ／ＯＦＦ、モード状態等を通知する。電源ボタン３０１は、ボタンのＯＮ／ＯＦＦに応じて、Ｍｉｒａｃａｓｔアダプター３００の動作状態（動作／停止）を切り替える。パススルーボタン３０３は、ボタンのＯＮ／ＯＦＦに応じて、パススルーモードの選択／非選択を切り替える。後述するように、パススルーモードが選択された場合には、ＨＤＭＩ入力端子に入力される映像等がＨＤＭＩ出力端子からそのまま出力される。
【００２４】
映像機器４００は、ＤＶＤレコーダーや、ＤＶＤプレーヤー、ＢＤレコーダー、ＢＤプレーヤー、ＨＤＤレコーダー、ビデオカメラ、情報通信端末等のＨＤＭＩ（High-Definition Multimedia Interface、登録商標）に対応した種々の映像再生機器により構成される。映像機器４００で再生される映像等は、後述するように、ＨＤＭＩケーブル４０２を介してＭｉｒａｃａｓｔアダプター３００に伝送され、Ｍｉｒａｃａｓｔに従って頭部装着型表示装置１００に無線伝送され、頭部装着型表示装置１００で再生される。なお、本実施形態では、映像機器４００はＢＤレコーダーにより構成されるものとし、映像機器４００は「ＢＤレコーダー４００」とも呼ばれる。
【００２５】
表示装置５００は、テレビ（以下、「ＴＶ」とも呼ぶ）や、ディスプレイ、プロジェクター等のＨＤＭＩに対応した種々の映像表示装置（画像表示装置）により構成される。表示装置５００では、後述するように、Ｍｉｒａｃａｓｔに従って頭部装着型表示装置１００からＭｉｒａｃａｓｔアダプター３００に無線伝送され、ＨＤＭＩケーブル５０２を介して表示装置５００に有線伝送される映像等が再生される。また、表示装置５００では、後述するように、映像機器４００からＨＤＭＩケーブル４０２を介してＭｉｒａｃａｓｔアダプター３００に有線伝送され、さらに、ＨＤＭＩケーブル５０２を介して表示装置５００に有線伝送される映像等が再生される。なお、本実施形態では、表示装置５００はＴＶにより構成するものとし、表示装置５００は「ＴＶ５００」とも呼ばれる。
【００２６】
頭部装着型表示装置１００は、頭部に装着する画像表示装置（映像表示装置）であり、ヘッドマウントディスプレイ（Head Mounted Display；ＨＭＤ）とも呼ばれる。本実施形態のヘッドマウントディスプレイ（ＨＭＤ）１００は、使用者が、虚像を視認すると同時に外景も直接視認可能な光学透過型の頭部装着型表示装置である。ＨＭＤ１００は、使用者の頭部に装着された状態において使用に虚像を視認させる画像表示部２０と、画像表示部２０を制御する制御部（コントローラー）１０と、を備えている。
【００２７】
画像表示部２０は、使用者の頭部に装着される装着体であり、本実施形態では眼鏡形状を有している。画像表示部２０は、右保持部２１と、右表示駆動部２２と、左表示駆動部２４と、左保持部２３と、右光学像表示部２６と、左光学像表示部２８と、を含んでいる。右光学像表示部２６および左光学像表示部２８は、それぞれ、使用者が画像表示部２０を装着した際に使用者の右および左の眼前に位置するように配置されている。右光学像表示部２６の一端と左光学像表示部２８の一端とは、使用者が画像表示部２０を装着した際の使用者の眉間に対応する位置で、互いに接続されており、この接続部にはカメラ６７が配置されている。
【００２８】
右保持部２１および左保持部２３は、眼鏡のテンプル（つる）のようにして、使用者の頭部に画像表示部２０を保持する部材である。右表示駆動部２２は、右保持部２１の内側、換言すれば、使用者が画像表示部２０を装着した際の使用者の頭部に対向する側に配置されている。また、左表示駆動部２４は、左保持部２３の内側に配置されている。なお、以降では、右保持部２１および左保持部２３を区別せず「保持部」として説明する場合もある。同様に、右表示駆動部２２および左表示駆動部２４を区別せず「表示駆動部」として説明し、右光学像表示部２６および左光学像表示部２８を区別せず「光学像表示部」として説明する場合もある。
【００２９】
画像表示部２０は、さらに、画像表示部２０を制御部１０に接続するための接続部４０を有している。接続部４０は、制御部１０に接続される本体コード４８と、本体コード４８が２本に分岐した右コード４２および左コード４４と、分岐点に設けられた連結部材４６と、を含んでいる。連結部材４６には、イヤホンプラグ３０を接続するためのジャックが設けられている。イヤホンプラグ３０からは、右イヤホン３２および左イヤホン３４が延伸している。
【００３０】
画像表示部２０と制御部１０とは、接続部４０を介して各種信号の伝送を行う。本体コード４８における連結部材４６とは反対側の端部と、制御部１０とのそれぞれには、互いに嵌合するコネクター（図示省略）が設けられており、本体コード４８のコネクターと制御部１０のコネクターとの嵌合／嵌合解除により、制御部１０と画像表示部２０とが接続されたり切り離されたりする。接続部４０には、金属ケーブルや光ファイバーを採用することができる。
【００３１】
制御部１０は、ＨＭＤ１００を制御するための装置である。制御部１０は、点灯部１２と、タッチパッド１４と、十字キー１６と、電源スイッチ１８とを含んでいる。点灯部１２は、ＨＭＤ１００の動作状態（例えば、電源のＯＮ／ＯＦＦ等）を、その発光態様によって通知する。点灯部１２としては、例えば、ＬＥＤを用いることができる。タッチパッド１４は、タッチパッド１４の操作面上での接触操作を検出して、検出内容に応じた信号を出力する。タッチパッド１４としては、静電式や圧力検出式、光学式といった種々のタッチパッドを採用することができる。十字キー１６は、上下左右方向に対応するキーへの押下操作を検出して、検出内容に応じた信号を出力する。電源スイッチ１８は、スイッチのスライド操作を検出することで、ＨＭＤ１００の電源の状態を切り替える。
【００３２】
制御部１０は、上記したように、Ｍｉｒａｃａｓｔアダプター３００がソースモードで動作する場合には、Ｍｉｒａｃａｓｔアダプター３００からＭｉｒａｃａｓｔに従って無線伝送されてくる映像等を受信し、接続部４０を介して映像を画像表示部２０へ伝送し、音声をイヤホン３２，３４から出力する。また、制御部１０は、上記したように、Ｍｉｒａｃａｓｔアダプター３００がシンクモードで動作する場合には、画像表示部２０から接続部４０を介して伝送される映像等を、Ｍｉｒａｃａｓｔアダプター３００へＭｉｒａｃａｓｔに従って無線伝送する。なお、Ｍｉｒａｃａｓｔアダプター３００とＨＭＤ１００の制御部１０との間のＭｉｒａｃａｓｔに従った接続の確立については、後で詳述する。
【００３３】
Ａ２．頭部装着型表示装置の構成：
図２は、ヘッドマウントディスプレイ（ＨＭＤ）１００の構成を機能的に示すブロック図である。制御部１０は、入力情報取得部１１０と、記憶部１２０と、電源１３０と、無線通信部１３２と、ＧＰＳモジュール１３４と、ＣＰＵ１４０と、インターフェイス１８０と、送信部（Ｔｘ）５１および５２と、を備え、各部は図示しないバスにより相互に接続されている。
【００３４】
入力情報取得部１１０は、上記したタッチパッド１４や十字キー１６、電源スイッチ１８などに対する操作入力に応じた信号を取得する。なお、図示は省略するが、入力情報取得部１１０としては、視線検出、タッチ検出、マイクロホン等の入力デバイスに対する操作入力に応じた信号を取得することも可能である。具体的には、視線検出では、赤外線センサー等を用いて使用者の視線を検出する。この場合、視線の動きとコマンドとが予め対応付けられている。タッチ検出では、ＨＭＤ１００の筐体の任意の場所（例えば、画像表示部２０の右保持部２１および左保持部２３（図１）の外側）に設けられた接触センサーに対する使用者のタッチ操作を検出する。
【００３５】
記憶部１２０は、ＲＯＭ、ＲＡＭ、ＤＲＡＭ、ハードディスク等によって構成されており、ＣＰＵ１４０によって読み出されて実行されるコンピュータープログラムや各種のデータ情報が記憶されている。電源１３０は、ＨＭＤ１００の各部に電力を供給する。電源１３０としては、例えば二次電池を用いることができる。
【００３６】
無線通信部１３２は、所定の無線通信規格（例えば、赤外線、Ｂｌｕｅｔｏｏｔｈ（登録商標）に例示される近距離無線通信、Wi-Fi（ＩＥＥＥ８０２．１１）に例示される無線ＬＡＮ等）に従って、外部装置との間で無線通信を行う。本実施形態では、無線通信部１３２は、少なくとも、Wi-Fi Allianceによって策定された「Wi-Fi」、「Wi-Fi Direct」、「Miracast」に対応する。ＧＰＳモジュール１３４は、ＧＰＳ衛星からの信号を受信することにより、ＨＭＤ１００の使用者の現在位置を検出し、使用者の現在位置情報を表す現在位置情報を生成する。なお、現在位置情報は、例えば緯度経度を表す座標によって実現することができる。
【００３７】
ＣＰＵ１４０は、記憶部１２０に格納されているコンピュータープログラムを読み出して実行することにより、オペレーティングシステム（ＯＳ）１５０、画像処理部１６０、音声処理部１７０、カメラ制御部１７５、表示制御部１９０、Ｍｉｒａｃａｓｔ制御部１９５として機能する。
【００３８】
画像処理部１６０は、インターフェイス１８０や無線通信部１３２、カメラ６７から入力される映像信号に基づいて信号を生成する。画像処理部１６０は、生成した信号を、接続部４０を介して画像表示部２０に供給することで、画像表示部２０における表示を制御する。画像表示部２０に供給するための信号は、アナログ形式とディジタル形式の場合で異なる。
【００３９】
例えば、ディジタル形式の場合、ディジタルＲ信号と、ディジタルＧ信号と、ディジタルＢ信号と、クロック信号ＰＣＬＫとが同期した状態の映像信号が入力される。画像処理部１６０は、ディジタルＲ信号、ディジタルＧ信号、ディジタルＢ信号からなる画像データＤａｔａに対して、必要に応じて周知の解像度変換処理、輝度彩度の調整などの種々の色調補正処理、キーストーン補正処理等の画像処理を実行する。その後、画像処理部１６０は、クロック信号ＰＣＬＫと、画像データＤａｔａとを、送信部５１，５２を介して送信する。
【００４０】
アナログ形式の場合、アナログＲ信号と、アナログＧ信号と、アナログＢ信号と、垂直同期信号ＶＳｙｎｃと、水平同期信号ＨＳｙｎｃとからなる映像信号が入力される。画像処理部１６０は、入力された信号から垂直同期信号ＶＳｙｎｃと水平同期信号ＨＳｙｎｃを分離し、それらの周期に応じて、図示しないＰＬＬ回路等を用いてクロック信号ＰＣＬＫを生成する。また、画像処理部１６０は、アナログＲ信号と、アナログＧ信号と、アナログＢ信号とを、Ａ／Ｄ変換回路等を用いてディジタル信号に変換する。画像処理部１６０は、変換後のディジタルＲ信号、ディジタルＧ信号、ディジタルＢ信号からなる画像データＤａｔａに対して、必要に応じて周知の画像処理を実行した後、クロック信号ＰＣＬＫと、画像データＤａｔａと、垂直同期信号ＶＳｙｎｃと、水平同期信号ＨＳｙｎｃとを、送信部５１、５２を介して送信する。なお、以降では、送信部５１を介して送信される画像データＤａｔａを「右眼用画像データＤａｔａ１」とも呼び、送信部５２を介して送信される画像データＤａｔａを「左眼用画像データＤａｔａ２」とも呼ぶ。
【００４１】
表示制御部１９０は、右表示駆動部２２および左表示駆動部２４を制御する制御信号を生成する。制御信号とは、右ＬＣＤ制御部２１１による右ＬＣＤ２４１の駆動ＯＮ／ＯＦＦ、右バックライト制御部２０１による右バックライト２２１の駆動ＯＮ／ＯＦＦ、左ＬＣＤ制御部２１２による左ＬＣＤ２４２の駆動ＯＮ／ＯＦＦ、左バックライト制御部２０２による左バックライト２２２の駆動ＯＮ／ＯＦＦを個別に切り替えるための信号である。表示制御部１９０は、これらの制御信号によって、右表示駆動部２２と左表示駆動部２４とにおける画像光の生成および射出を制御する。表示制御部１９０は、生成した制御信号を、送信部５１，５２を介して送信する。
【００４２】
音声処理部１７０は、コンテンツに含まれる音声信号を取得し、取得した音声信号を増幅して、右イヤホン３２の図示しないスピーカーと、左イヤホン３４の図示しないスピーカーとに対して供給する。なお、図示は省略するが、制御部１０と画像表示部２０の少なくとも一方に備えるマイクロホンが検出した音をサンプリングして音声信号を取得することもできる。
【００４３】
カメラ制御部１７５は、カメラ６７の動作を制御して、使用者が視認する映像を撮影する。撮影した映像は記憶部１２０に記憶することができる。
【００４４】
インターフェイス１８０は、所定の有線通信規格（例えば、ＭｉｃｒｏＵＳＢ、ＵＳＢ、ＨＤＭＩ、ＤＶＩ（Digital Visual Interface）、ＶＧＡ（Video Graphics Array）、コンポジット、ＲＳ−２３２Ｃ（Recommended Standard 232）、ＩＥＥＥ８０２．３に例示される有線ＬＡＮ等）に従って、外部装置ＯＡとの間で有線通信を行う。外部装置ＯＡとしては、例えば、ＰＣや携帯電話（スマートフォンを含む）、ゲーム端末等がある。
【００４５】
Ｍｉｒａｃａｓｔ制御部１９５は、後述するように、無線通信部１３２を介してＨＭＤ１００との間でのＭｉｒａｃａｓｔに従った接続を確立する。そして、Ｍｉｒａｃａｓｔ制御部１９５は、シンクモードの場合には、Ｍｉｒａｃａｓｔアダプター３００からＭｉｒａｃａｓｔに従って無線伝送されてくる映像等を無線通信部１３２で受信し、画像処理部１６０および表示制御部１９０を介して画像表示部２０で映像を表示し、音声処理部１７０を介してイヤホン３２，３４へ音声を出力する。また、Ｍｉｒａｃａｓｔ制御部１９５は、ソースモードの場合には、無線通信部１３２からＭｉｒａｃａｓｔアダプター３００へＭｉｒａｃａｓｔに従って映像等を無線伝送する。なお、Ｍｉｒａｃａｓｔアダプター３００へ無線伝送される映像等としては、カメラ６７で撮影された映像およびマイクロホンで集音された音声や、インターフェイス１８０を介して外部装置ＯＡから供給される種々のコンテンツが挙げられる。
【００４６】
画像表示部２０は、右表示駆動部２２と、左表示駆動部２４と、右光学像表示部２６（図１）としての右導光板２６１と、左光学像表示部２８（図１）としての左導光板２６２と、９軸センサー６６と、を備えている。９軸センサー６６は、加速度（３軸）、角速度（３軸）、地磁気（３軸）を検出するモーションセンサーである。
【００４７】
右表示駆動部２２と左表示駆動部２４とは、液晶ディスプレイ（Liquid Crystal Display、以下「ＬＣＤ」と呼ぶ）や投写光学系を用いて、画像を表す画像光を生成し射出する。右表示駆動部２２は、受信部（Ｒｘ）５３と、光源として機能する右バックライト（ＢＬ）制御部２０１および右バックライト（ＢＬ）２２１と、表示素子として機能する右ＬＣＤ制御部２１１および右ＬＣＤ２４１と、右投写光学系２５１とを含んでいる。
【００４８】
受信部５３は、送信部５１から送信されるデータを受信する。右バックライト制御部２０１は、入力された制御信号に基づいて、右バックライト２２１を駆動する。右バックライト２２１は、例えば、ＬＥＤやエレクトロルミネセンス（ＥＬ）等の発光体である。右ＬＣＤ制御部２１１は、入力されたクロック信号ＰＣＬＫと右眼用画像データＤａｔａ１と、垂直同期信号ＶＳｙｎｃと、水平同期信号ＨＳｙｎｃとに基づいて、右ＬＣＤ２４１を駆動する。右ＬＣＤ２４１は、複数の画素をマトリクス状に配置した透過型液晶パネルである。右ＬＣＤ２４１は、マトリクス状に配置された各画素位置の液晶を駆動することによって、右ＬＣＤ２４１を透過する光の透過率を変化させることにより、右バックライト２２１から照射される照明光を、画像を表す有効な画像光へと変調する。右投写光学系２５１は、右ＬＣＤ２４１から射出された画像光を並行状態の光束にするコリメートレンズによって構成される。
【００４９】
左表示駆動部２４は、右表示駆動部２２とほぼ同様の構成を有し、右表示駆動部２２と同様に動作する。すなわち、左表示駆動部２４は、受信部（Ｒｘ）５４と、光源として機能する左バックライト（ＢＬ）制御部２０２および左バックライト（ＢＬ）２２２と、表示素子として機能する左ＬＣＤ制御部２１２および左ＬＣＤ２４２と、左投写光学系２５２とを含んでいる。詳細な説明は省略する。なお、本実施形態ではバックライト方式を採用することとしたが、フロントライト方式や、反射方式を用いて画像光を射出してもよい。
【００５０】
右光学像表示部２６と左光学像表示部２８とは、使用者が画像表示部２０を装着した際に使用者の左右の眼前にそれぞれ位置するように配置されている（図１参照）。右光学像表示部２６は、右導光板２６１と、図示しない調光板を含んでいる。右導光板２６１は、光透過性の樹脂材料等によって形成されている。右導光板２６１は、右表示駆動部２２から出力された画像光を、所定の光路に沿って反射させつつ使用者の右眼ＲＥへ導く。右導光板２６１には、回折格子を用いても良いし半透過反射膜を用いても良い。調光板は、薄板状の光学素子であり、画像表示部２０の表側を覆うように配置されている(不図示)。調光板は、右導光板２６１を保護し、右導光板２６１の損傷や汚れの付着等を抑制する。また、調光板の光透過率を調整することによって、使用者の眼に入る外光量を調整して虚像の視認のしやすさを調整することができる。なお、調光板は省略可能である。
【００５１】
左光学像表示部２８は、右光学像表示部２６とほぼ同様の構成を有し、右光学像表示部２６と同様に動作する。すなわち、左光学像表示部２８は、左導光板２６２と、図示しない調光板を含み、左表示駆動部２４から出力された画像光を、使用者の左眼ＬＥへ導く。詳細な説明は省略する。
【００５２】
図３は、使用者に視認される虚像の一例を示す説明図である。図３では、使用者の視野ＶＲを例示している。上述のようにして、ＨＭＤ１００の使用者の両眼に導かれた画像光が使用者の網膜に結像することにより、使用者は虚像ＶＩを視認することができる。図３の例では、虚像ＶＩは、ＨＭＤ１００のＯＳの待ち受け画面である。また、使用者は、右光学像表示部２６および左光学像表示部２８を透過して外景ＳＣを視認する。このように、本実施形態のＨＭＤ１００の使用者は、視野ＶＲのうち虚像ＶＩが表示された部分については、虚像ＶＩと、虚像ＶＩの背後の外景ＳＣとを見ることができる。また、使用者は、視野ＶＲのうち虚像ＶＩが表示されていない部分については、右光学像表示部２６および左光学像表示部２８を透過して外景ＳＣを直接見ることができる。また、使用者は、外景ＳＣを遮断して虚像ＶＩのみを見ることができ、Ｍｉｒａｃａｓｔアダプター３００からＭｉｒａｃａｓｔに従って無線伝送された映像を虚像ＶＩとして見ることができる。なお、本明細書において、「ＨＭＤ１００が映像（画像）を表示する」ことには、ＨＭＤ１００の使用者に対して虚像を視認させることを含む。
【００５３】
Ａ３.Ｍｉｒａｃａｓｔアダプターの構成：
図４は、Ｍｉｒａｃａｓｔアダプター３００の構成を機能的に示すブロック図である。Ｍｉｒａｃａｓｔアダプター３００は、図１に示した、電源ボタン３０１と、パススルーボタン３０３と、Ｍｉｒａｃａｓｔ切替スイッチ３０５と、点灯部３０７（ＬＥＤ３０７Ａ，３０７Ｂ）と、に加えて、ＣＰＵ３１０と、記憶部３２０と、電源３３０と、ＵＳＢインターフェイス３４０と、ＨＤＭＩ送受信部３５０と、Ｗｉ−Ｆｉ送受信部３６０と、を備えている。各部は図示しないバスにより相互に接続されている。
【００５４】
記憶部３２０は、ＲＯＭ、ＲＡＭ等によって構成されており、ＣＰＵ３１０によって読み出されて実行されるコンピュータープログラムや各種のデータ情報が記憶されている。なお、図４では、記憶部３２０にＭｉｒａｃａｓｔ設定情報３２２が記憶されている状態が示されている。Ｍｉｒａｃａｓｔ設定情報３２２には、Ｍｉｒａｃａｓｔ制御部３１６によって実行されるＭｉｒａｃａｓｔに従った接続の確立の際に、後述するように用いられる情報の他、ディスプレイやオーディオ、ビデオの形式に関する情報等が含まれる。
【００５５】
電源３３０は、電源ボタン３０１がＯＮの場合に、Ｍｉｒａｃａｓｔアダプター３００の各部に電力を供給する。電源３３０としては、例えば、二次電池を用いることができる。電源３３０には、ＡＣアダプター３３２からＵＳＢインターフェイス３４０を介して供給される直流電源が供給されることにより充電が可能である。
【００５６】
ＣＰＵ３１０は、記憶部３２０に格納されているコンピュータープログラムを読み出して実行することにより、オペレーティングシステム（ＯＳ）３１１、ＵＳＢ制御部３１２、ＨＤＭＩ制御部３１３、Ｗｉ−Ｆｉ制御部３１４、パススルー制御部３１５、Ｍｉｒａｃａｓｔ制御部３１６、ＬＥＤ制御部３１７等の各種制御部として機能する。
【００５７】
ＵＳＢ制御部３１２は、ＵＳＢインターフェイス３４０のＵＳＢに従った動作を制御する。これにより、ＵＳＢインターファイス３４０は、コンピューター６００との間のＵＳＢに従った通信を実行する。また、ＵＳＢインターフェイス３４０は、ＡＣアダプター３３２から供給される直流電源の電源３３０への供給を実行する。
【００５８】
ＨＤＭＩ制御部３１３は、ＨＤＭＩ送受信部３５０の動作を制御する。これにより、ＨＤＭＩ送受信部３５０は、ＢＤレコーダー４００からＨＤＭＩに従って伝送される映像等を受信する。また、ＨＤＭＩ送受信部３５０は、後述するように、ＢＤレコーダー４００から受信した映像等、あるいは、Ｍｉｒａｃａｓｔに従ってＨＭＤ１００から無線受信した映像等、をＨＤＭＩに従って送信する。
【００５９】
パススルー制御部３１５は、パススルーボタン３０３がＯＮの場合において、ＨＤＭＩ送受信部３５０の動作を制御し、ＨＤＭＩ入力端子から入力される映像等を、そのまま、ＨＤＭＩ出力端子へ出力させる。本実施形態では、ＢＤレコーダー４００から受信したＨＤＭＩに従った映像等を、ＨＤＭＩに従ってＴＶ５００に送信し、ＴＶ５００で表示させる。
【００６０】
Ｍｉｒａｃａｓｔ制御部３１６は、後述するように、Ｗｉ−Ｆｉ制御部３１４を介してＷｉ−Ｆｉ送受信部３６０を制御し、ＨＭＤ１００との間でのＭｉｒａｃａｓｔに従った接続を確立する。そして、Ｍｉｒａｃａｓｔ制御部３１６は、ソースモードの場合には、ＨＤＭＩ送受信部３５０のＨＤＭＩ入力端子に接続されるＢＤレコーダー４００から入力される映像等を、Ｗｉ−Ｆｉ送受信部３６０からＭｉｒａｃａｓｔに従ってＨＭＤ１００に無線伝送する。ＨＭＤ１００では、ＢＤレコーダー４００からＭｉｒａｃａｓｔアダプター３００を介して無線伝送されてきた映像の表示や音声の出力が実行される。また、Ｍｉｒａｃａｓｔ制御部３１６は、シンクモードの場合には、ＨＭＤ１００からＭｉｒａｃａｓｔに従って無線伝送されてくる映像等をＷｉ−Ｆｉ送受信部３６０で受信し、ＨＤＭＩ送受信部３５０のＨＤＭＩ出力端子に接続されるＴＶ５００へ出力する。ＴＶ５００では、ＨＭＤ１００からＭｉｒａｃａｓｔアダプター３００に無線伝送されてきた映像の表示や音声の出力が実行される。
【００６１】
Ｍｉｒａｃａｓｔアダプター３００は、以下で説明するように、ＨＭＤ１００との間で実行されるＭｉｒａｃａｓｔに従った接続の確立の手順、特に、ソースモードにおける接続の確立の手順に特徴を有している。
【００６２】
Ａ４．Ｍｉｒａｃａｓｔに従った接続：
（１）Ｍｉｒａｃａｓｔアダプターがソースモードの場合
Ｍｉｒａｃａｓｔアダプターがソースモードの場合、すなわち、Ｍｉｒａｃａｓｔアダプター３００が映像送信側のソースデバイスであり、ＨＭＤ１００を映像受信側のシンクデバイスである場合において、ソースデバイスとシンクデバイスとの間のＭｉｒａｃａｓｔに従った接続（以下、「Ｍｉｒａｃａｓｔ接続」とも呼ぶ）の手順について説明する。
【００６３】
図５は、Ｍｉｒａｃａｓｔアダプター３００がソースモードの場合のＭｉｒａｃａｓｔアダプター３００とＨＭＤ１００との間のＭｉｒａｃａｓｔに従った接続の手順を示す説明図である。Ｍｉｒａｃａｓｔアダプター３００は、使用者が電源ボタン３０１をＯＮとすることによって起動する。このとき、Ｍｉｒａｃａｓｔ切替スイッチ３０５をソースモードＭＴｘとすることにより、Ｍｉｒａｃａｓｔ制御部３１６はソースモードでの動作を開始し（ステップＳ３０２）、映像受信側となるシンクデバイスの検出やシンクデバイスのＭｉｒａｃａｓｔで可能な能力（「サービス」とも呼ばれる）の検出を行なう（ステップＳ３０４）。なお、これらの検出は、Wi-Fi Allianceによって策定されたWi-Fi Peer-to-Peer（以下、「ピアツーピア」，「Ｐ２Ｐ」とも呼ぶ）仕様の規定に従って実行される。
【００６４】
一方、シンクデバイスとしてのＨＭＤ１００では、使用者がＭｉｒａｃａｓｔ実行用アイコン（図３の「Ｍｉｒａｃａｓｔ」と表記されたアイコン」）を選択実行して、Ｍｉｒａｃａｓｔ接続のためのアプリケーションを実行することにより、Ｍｉｒａｃａｓｔ制御部１９５が動作を開始し、画像表示部２０でＭｉｒａｃａｓｔ接続のメニュー画面を表示する。
【００６５】
図６は、Ｍｉｒａｃａｓｔ接続のためのメニュー画面ＭＶの一例を示す説明図である。使用者がメニュー画面ＭＶのモード切替スイッチＭＳをシンクモード（Ｓｉｎｋ）側に設定しスタートボタンＳＴをタップ（選択）すると、Ｍｉｒａｃａｓｔ制御部１９５はシンクモードで動作を開始し（ステップＳ１０２）、映像送信側となるソースデバイスの検出やソースデバイスのＭｉｒａｃａｓｔで可能な能力（「サービス」とも呼ばれる）の検出を行なう（ステップＳ１０４）。なお、これらの検出は、ソースデバイス側と同様に、Ｐ２Ｐ仕様の規定に従って実行される。
【００６６】
Ｍｉｒａｃａｓｔアダプター３００のＭｉｒａｃａｓｔ制御部３１６（以下、説明の便宜上単に「ソースデバイス」とも呼ぶ）は、シンクデバイスの検出を行った（ステップＳ３０４）後、シンクデバイスからＭｉｒａｃａｓｔでの接続の設定の開始がなされるまで待機する（ステップＳ３０８）。一方、ＨＭＤ１００のＭｉｒａｃａｓｔ制御部１９５（以下、説明の便宜上単に「シンクデバイス」とも呼ぶ）は、ソースデバイスの検出を行った（ステップＳ１０４）後、検出されたソースデバイスの中から、使用者が接続対象のソースデバイスの選択を行なう（ステップＳ１０６）ことにより、ソースデバイスに対してＭｉｒａｃａｓｔ接続の設定（コネクションのセットアップ）を開始する（ステップＳ１０８）。なお、コネクションのセットアップの開始は、Wi-Fi Allianceによって策定されたWi-Fi DirectあるいはTDLS（Tunneled Direct Link Setup）仕様に従ったソースデバイスとシンクデバイスとの間のＰ２Ｐ接続の開始がトリガーとなる。
【００６７】
図７は、シンクデバイスにおけるソースデバイス検出によって検出された接続可能ソースデバイスの表示画面ＳＤの一例を示す説明図である。図７（Ａ）に示すように、表示画面ＳＤには、ソースデバイスの検出結果に基づいて、接続可能ソースデバイス（ＡＶＡＩＬＡＢＬＥ  ＤＥＶＩＣＥＳ）の表示欄に、デバイスネーム（図の例では、「＊＊−ＷＦＤ＿＊＊＊＊」と記載）と、そのデバイスの状態として接続可能か否かを示す表記（図７（Ａ）の例では、接続可能状態を示す「Ａｖａｉｌａｂｅｌ」と表記）と、が表示される。使用者が接続可能（Ａｖａｉｌａｂｌｅ）なソースデバイスの中から、接続対象となるソースデバイスのデバイスネームをタップすることにより、ソースデバイスの選択を行なうことができる。
【００６８】
Ｍｉｒａｃａｓｔ接続の設定を開始すると、ソースデバイスおよびシンクデバイスは互いにWi-Fi DirectによるＰ２Ｐの接続の確立のためのネゴシエーションを行い（ステップＳ３１０，Ｓ１１０）、Wi-Fi DirectによるＰ２Ｐの接続を確立する（ステップＳ３１２，Ｓ１１２）。Wi-Fi DirectによるＰ２Ｐの接続が確立されると、図７（Ｂ）に示すように、接続対象のソースデバイスの状態の表記が接続状態（「Ｃｏｎｎｅｃｔｅｄ」）となる。なお、ネゴシエーションにおいては、シンクデバイスからソースデバイスに対して、シンクデバイスのデバイスネーム（図７（Ａ）参照）やＭＡＣアドレス（Media Access Control address）が送信される。
【００６９】
次に、ソースデバイスは、上記ネゴシエーション時においてシンクデバイスから受け取ったデバイスネームを、Ｍｉｒａｃａｓｔ設定情報３２２中にあらかじめ格納されている接続可能なシンクデバイスのリスト（以下、「接続可能デバイスリスト」と呼ぶ）と照合する（ステップＳ３１６）。図８は、Ｍｉｒａｃａｓｔ設定情報３２２にあらかじめ格納されている接続可能デバイスリストＤＬの一例を示す説明図である。この接続可能デバイスリストＤＬは、製品出荷時にあらかじめＭｉｒａｃａｓｔ設定情報３２２中に格納される。なお、コンピューター６００からＵＳＢを介して更新設定することも可能である。
【００７０】
接続可能デバイスリストＤＬに一致するデバイスネームが存在しない場合には（ステップＳ３１６：Ｎｏ）、ソースデバイスは、シンクデバイスの接続は不可と判断し、Ｍｉｒａｃａｓｔ接続の処理を終了する。一方、接続可能デバイスリストＤＬに一致するデバイスネームが存在する場合には（ステップＳ３１６：Ｙｅｓ）、ソースデバイスは、シンクデバイスとの間でのＭｉｒａｃａｓｔ接続の設定を継続させ（ステップＳ３１８）、これに応じて、シンクデバイスも、ソースデバイスとの間でのＭｉｒａｃａｓｔ接続の設定を継続させる（ステップＳ１１８）。この結果、ソースデバイスおよびシンクデバイスは、Ｍｉｒａｃａｓｔ接続を確立する（ステップＳ３２０，Ｓ１２０）。
【００７１】
ソースデバイスとシンクデバイスとの間でＭｉｒａｃａｓｔ接続を確立すると、シンクデバイスであるＭｉｒａｃａｓｔアダプター３００はソースデバイスであるＨＭＤ１００に対して、映像機器としてのＢＤレコーダー４００で再生される映像等を、Ｍｉｒａｃａｓｔに従って無線伝送する（ステップＳ３２２，Ｓ１２２）ことが可能となる。図９は、ＨＭＤ１００で表示される映像再生画面ＳＰを示す説明図である。図９に示すように、ＨＭＤ１００では、受信した映像を映像再生画面ＳＰに再生表示し、受信した音声をイヤホン３２，３４に出力する。
【００７２】
Ｍｉｒａｃａｓｔに従った映像等の無線伝送は、ソースデバイスあるいはシンクデバイスでＭｉｒａｃａｓｔでのセッションの終了手続がなされるまで継続される（ステップＳＳ３２４，Ｓ１２４）。ソースデバイスであるＭｉｒａｃａｓｔアダプター３００では、例えば、電源ボタン３０１をＯＦＦとすることにより終了手続が実行される。また、ＨＭＤ１００では、図９の左上にある終了アイコンＥＡがタップ（選択）されることにより終了手続きが実行される。図１０は、図９に示した終了アイコンＥＡのタップ時に表示される確認画面ＣＰを示す説明図である。図１０に示すように、終了アイコンＥＡがタップされると、確認画面ＣＰとして、「本当に終了しますか？（Are you sure to exit？）」という確認表示と、キャンセル（cancel）ボタンと、ＯＫボタンと、が表示される。使用者がＯＫボタンを選択することにより、Ｍｉｒａｃａｓｔでのセッションの終了手続が実行され、キャンセルボタンを選択すれば、Ｍｉｒａｃａｓｔでのセッションは継続される。
【００７３】
なお、ＨＭＤ１００のデバイスネームが、本発明の映像受信表示装置に固有の識別情報であり、映像無線規格に従った接続許可対象（「接続対象」とも呼ぶ）であることを示す接続許可識別情報（「接続識別情報」とも呼ぶ）に相当する。また、Ｍｉｒａｃａｓｔは、Wi-Fi DirectによるＰ２Ｐのプロトコルをベースに動作するプロトコル、すなわち、Wi-Fi Directが下位プロトコルで、Ｍｉｒａｃａｓｔが上位のプロトコルに相当する。
【００７４】
（２）Ｍｉｒａｃａｓｔアダプターがパススルーモードの場合
Ｍｉｒａｃａｓｔアダプターがパススルーモードの場合、すなわち、Ｍｉｒａｃａｓｔ切替スイッチ３０５がソースモードＭＴｘとされている状態で、パススルーボタン３０３がＯＮとされてパススルーモードが選択された場合におけるＭｉｒａｃａｓｔアダプター３００の動作について説明する。
【００７５】
図１１は、パススルーモードにおけるＭｉｒａｃａｓｔアダプター３００の構成を機能的に示すブロック図である。図１１は、パススルーモードの説明に要する構成のみを示し他の構成は省略して示している。Ｍｉｒａｃａｓｔ切替スイッチ３０５がソースモードＭＴｘとされている状態（図１，４参照）で、パススルーボタン３０３がＯＮとされてパススルーモードが選択された場合、パススルー制御部３１５はＨＤＭＩ送受信部３５０の動作を制御して、ＨＤＭＩ入力端子から入力される映像等の信号を、そのままＨＤＭＩ出力端子から出力させる。これにより、ＢＤレコーダー４００から出力される映像等を、Ｍｉｒａｃａｓｔアダプター３００を介してそのままＴＶ５００へ出力し、ＴＶ５００で再生することができる。
【００７６】
（３）Ｍｉｒａｃａｓｔアダプターがシンクモードの場合
Ｍｉｒａｃａｓｔアダプター３００をシンクモードの場合、すなわち、Ｍｉｒａｃａｓｔアダプター３００を映像受信側のシンクデバイスであり、ＨＭＤ１００を映像送信側のソースデバイスである場合において、ソースデバイスとシンクデバイスとの間のＭｉｒａｃａｓｔに従った接続の手順について説明する。なお、シンクデバイスとしてのＭｉｒａｃａｓｔアダプター３００と、Ｍｉｒａｃａｓｔに対応したＨＤＭ１００との間のＭｉｒａｃａｓｔ接続の手順は、従来のＭｉｒａｃａｓｔに対応したシンクデバイスとしてのアダプターと、従来のＭｉｒａｃａｓｔに対応したソースデバイスとの間のＭｉｒａｃａｓｔ接続の手順と同様である。そこで、以下では、シンクデバイスとしてのＭｉｒａｃａｓｔアダプター３００と、Ｍｉｒａｃａｓｔに対応したＨＤＭ１００との間のＭｉｒａｃａｓｔ接続の手順の概略を説明するものとする。
【００７７】
Ｍｉｒａｃａｓｔアダプター３００は、Ｍｉｒａｃａｓｔ切替スイッチ３０５（図１，４参照）をシンクモードＭＲｘとすることにより、シンクデバイスとして動作を開始する。一方、ＨＭＤ１００では、使用者がＭｉｒａｃａｓｔ実行用アイコン（図３）を選択実行し、Ｍｉｒａｃａｓｔ接続のメニュー画面（図６参照）のモード切替スイッチＭＳをソースモード（Ｓｏｕｒｃｅ）側に設定しスタートボタンＳＴをタップすることによって、ソースデバイスとして動作を開始する。
【００７８】
ソースデバイスおよびシンクデバイスでは、互いに、Ｍｉｒａｃａｓｔ接続の手順に従って、デバイスの検出およびサービスの検出を行なう。ソースデバイスであるＨＤＭ１００では、シンクデバイス検出の結果が、シンクモードの場合と同様に、表示画面ＳＤ（図７参照）の接続可能シンクデバイスの表示欄に表示される。使用者が接続可能なシンクデバイスの中から、接続対象となるシンクデバイスとしてのＭｉｒａｃａｓｔアダプター３００のデバイスネームをタップすることにより、Ｍｉｒａｃａｓｔアダプター３００を接続対象のシンクデバイスとして選択し、ソースデバイスからシンクデバイスに対してＭｉｒａｃａｓｔ接続の設定が開始され、Ｍｉｒａｃａｓｔ接続が確立される。この結果、ソースデバイスであるＨＭＤ１００からシンクデバイスであるＭｉｒａｃａｓｔアダプター３００に対して、Ｍｉｒａｃａｓｔに従って映像や音声の無線伝送が可能となり、Ｍｉｒａｃａｓｔアダプター３００を介してＴＶ５００で映像の表示や音声の出力が可能となる。なお、ＨＭＤ１００からＭｉｒａｃａｓｔアダプター３００を介してＴＶ５００に映像等を伝送する場合、ＨＭＤ１００では映像等の再生を行なわず、映像等を伝送するもの（「ストリーミング」とも呼ばれる）としてもよく、ＨＭＤ１００で映像等を再生しつつ、Ｍｉｒａｃａｓｔアダプター３００を介してＴＶ５００にも伝送し、ＴＶ５００で映像等を再生するもの（「ミラーリンク」とも呼ばれる）としてもよい。
【００７９】
Ａ５．効果：
以上説明した第１実施形態では、Ｍｉｒａｃａｓｔアダプター３００が映像伝送側のソースデバイスとなり、ＨＭＤ１００が映像受信側のシンクデバイスとなる場合において、従来のように、使用者がソースデバイス側でシンクデバイスを選択してＭｉｒａｃａｓｔ接続の確立を図ることができない。しかしながら、上記したように、ソースデバイスとシンクデバイスとの間でのWi-Fi DirectによるＰ２Ｐの接続の確立のための処理中に、シンクデバイスからソースデバイスに対して送信されたシンクデバイスのデバイスネームを、Wi-Fi DirectによるＰ２Ｐの接続の確立の後で、あらかじめ登録されている接続可能デバイスリストＤＬと照合することにより、ソースデバイスは接続対象となるシンクデバイスを特定することができる。これにより、ソースデバイスは、特定したシンクデバイスを選択してＭｉｒａｃａｓｔ接続の確立を図るための手続きを継続して実行し、Ｍｉｒａｃａｓｔ接続の確立を図ることが可能である。すなわち、ソースデバイスとシンクデバイスとの間で交わす手続を、ソースデバイス側でシンクデバイスを選択してＭｉｒａｃａｓｔ接続の確立を図る場合に対して何ら変更することなく、Ｍｉｒａｃａｓｔ接続の確立を図ることが可能である。これにより、Ｍｉｒａｃａｓｔアダプター３００のように表示部も操作部も装備しないソースデバイスは、接続すべきシンクデバイスを選択することができないため、ソースデバイスからシンクデバイスへのＭｉｒａｃａｓｔの手順に従った接続を行なうことができない、という問題を解決することができる。
【００８０】
Ｂ．第２実施形態：
本発明の第２実施形態では、第１実施形態に例示したＭｉｒａｃａｓｔ接続の確立のための手続きとは異なり、ソースデバイスにおいて接続対象となるシンクデバイスを選択するために新たな手続きを設けた場合について説明する。なお、本実施形態における映像表示システムは、第１実施形態における映像表示システム１０００と同じであり、図示および説明は省略する。
【００８１】
図１２は、第２実施形態において、Ｍｉｒａｃａｓｔアダプター３００がソースモードの場合のＭｉｒａｃａｓｔアダプター３００とＨＭＤ１００との間のＭｉｒａｃａｓｔに従った接続の手順を示す説明図である。図１２は、図５の第１実施形態における接続の手順に対して、シンクデバイスにおけるステップＳ１０１，Ｓ１０３が追加されている点と、ソースデバイスにおいて、ステップＳ３１３が追加されているとともに、ステップＳ３１４，Ｓ３１６がステップＳ３１４ｂ，Ｓ３１６ｂに変更されている点と、が異なっている。
【００８２】
シンクデバイスとしてのＨＭＤ１００では、使用者がＭｉｒａｃａｓｔ実行用アイコン（図３参照）を選択実行して、Ｍｉｒａｃａｓｔ接続のためのアプリケーションを実行することにより、Ｍｉｒａｃａｓｔ制御部１９５が動作を開始し、まず、ソースデバイスの固有情報の取得動作を実行する（ステップＳ１０１）。具体的には、例えば、固有情報取得装置としてカメラ６７（図１，２参照）及びカメラ制御部１７５を動作させて、Ｍｉｒａｃａｓｔアダプター３００の筐体表面に添付されているＱＲコードやバーコード（以下、「ＱＲコード等」と呼ぶ）に含まれる固有情報を読み取ることにより実行することができる。なお、固有情報としては、例えば、接続許可を示す情報としてあらかじめ決められた種々のデータを用いることができる。なお、取得した固有情報は、ＨＭＤ１００の視野ＶＲにシースルー表示される外景ＳＣ（図３参照）に含まれているＭｉｒａｃａｓｔアダプター３００に重ねて表示するようにしてもよい。この表示は、例えば、固有情報取得部の動作を継続し、取得した固有情報を提供している装置を認識すること等の種々の画像認識等によって実行することができる。
【００８３】
そして、ソースデバイスとしてのＭｉｒａｃａｓｔアダプター３００およびシンクデバイスとしてのＨＭＤ１００では、第１実施形態の場合と同様の手順が実行され（ステップＳ３０２〜Ｓ３１２，ステップＳ１０２〜Ｓ１１２）、ソースデバイスとシンクデバイスとの間でのWi-Fi DirectによるＰ２Ｐの接続が確立される。
【００８４】
Wi-Fi DirectによるＰ２Ｐの接続が確立された場合、ソースデバイスは、シンクデバイスが取得した固有情報の送信をシンクデバイスに対して要求する（ステップＳ３１３）。このとき、シンクデバイスは、ソースデバイスの要求に対する応答として、ステップＳ１０１で取得した固有情報をソースデバイスに対して送信し（ステップＳ１１３）、ソースデバイスは、シンクデバイスが取得した固有情報を受信する。なお、この取得要求および応答は、確立されたWi-Fi DirectによるＰ２Ｐにおいて、新たに設けた手続（プロトコル）を利用することにより実行することができる。
【００８５】
シンクデバイスから送信された固有情報を受信したソースデバイスは、Ｍｉｒａｃａｓｔ設定情報３２２中にあらかじめ格納している自身の固有情報（ＱＲコード等に含まれている固有情報と同じ情報）と、受信した固有情報と、を照合する（ステップＳ３１４ｂ）。そして、固有情報が一致しない場合には（ステップＳ３１６ｂ：Ｎｏ）、ソースデバイスは、Ｍｉｒａｃａｓｔ接続が可能なシンクデバイスが存在しないと判断し、Ｍｉｒａｃａｓｔ接続の処理を終了する。一方、固有情報が一致する場合には（ステップＳ３１６ｂ：Ｙｅｓ）、ソースデバイスは、その固有情報を送信したシンクデバイスは、Ｍｉｒａｃａｓｔ接続が可能なシンクデバイスであると判定し、接続対象のデバイスとして選択する。そして、ソースデバイスは、そのシンクデバイスとの間でのＭｉｒａｃａｓｔ接続の設定を継続させ（ステップＳ３１８）、これに応じて、シンクデバイスも、ソースデバイスとの間でのＭｉｒａｃａｓｔ接続の設定を継続させる（ステップＳ１１８）。この結果、ソースデバイスおよびシンクデバイスは、Ｍｉｒａｃａｓｔ接続を確立し（ステップＳ３２０，Ｓ１２０）、ソースデバイスからシンクデバイスへの映像の無線伝送を実行する（ステップＳ３２２，Ｓ１２２）ことが可能となる。
【００８６】
以上説明した第２実施形態では、上記したように、シンクデバイスは、あらかじめソースデバイスが提供する接続許可を示す情報を固有情報として取得しておく。ソースデバイスは、ソースデバイスとシンクデバイスとの間でのWi-Fi DirectによるＰ２Ｐの接続の確立の後に、新たに設けられた手続に従ってシンクデバイスに対して要求した応答としてシンクデバイスから送信されてきた固有情報を、自身が提供する固有情報と照合することにより、接続対象となるシンクデバイスを特定し選択することができる。これにより、ソースデバイスは、選択したシンクデバイスとの間でＭｉｒａｃａｓｔでの接続の確立を図る場合の手続きを継続して実行し、Ｍｉｒａｃａｓｔでの接続の確立を図ることが可能である。従って、本実施形態では、Wi-Fi DirectによるＰ２Ｐの接続の確立後に、シンクデバイスがソースデバイスから取得した固有情報をソースデバイスとシンクデバイスとの間で送受信するための新たな手続きを要するが、ソースデバイスで接続対象となるシンクデバイスを選択してＭｉｒａｃａｓｔ接続の確立を図ることが可能である。これにより、Ｍｉｒａｃａｓｔアダプター３００のように表示部も操作部も装備しないソースデバイスは、接続すべきシンクデバイスを選択することができないため、ソースデバイスからシンクデバイスへのＭｉｒａｃａｓｔの手順に従った接続を行なうことができない、という問題を解決することができる。
【００８７】
なお、上記したＭｉｒａｃａｓｔアダプター３００が提供する固有情報が、本発明の映像送信装置が提供する固有情報であり、映像無線規格に従った接続対象であることを示す接続識別情報に相当する。
【００８８】
Ｃ．変形例：
Ｃ１．変形例１：
上記第１実施形態では、ＨＭＤ１００の固有の識別情報であるデバイスネームをＭｉｒａｃａｓｔに従って接続許可対象であることを示す接続許可識別情報としている。そして、ソースデバイスとしてのＭｉｒａｃａｓｔアダプター３００では、Wi-Fi DirectによるＰ２Ｐの接続の確立のための処理中にシンクデバイスとしてのＨＭＤ１００から送信されてくるデバイスネームを、接続可能デバイスリストＤＬと照合することにより、接続可能か否か判定している。しかしながら、これに限定されるものではなく、Wi-Fi DirectによるＰ２Ｐの接続の確立の処理中にシンクデバイスから送信されてくる他の固有の識別情報を接続許可識別情報として利用し、ソースデバイスにあらかじめ登録されている識別情報と整合するか否かによって、接続可能か否か判定するようにしてもよい。例えば、ＭＡＣアドレスをＨＭＤ１００に固有の識別情報として利用し、接続可能なシンクデバイスの識別情報としてあらかじめ登録されたＭＡＣアドレスによるフィルターを通過すか否か、すなわち、あらかじめ登録されているＭＡＣアドレスと整合するか否かによって、接続可能か否か判定することができる。
【００８９】
Ｃ２．変形例２：
上記第２実施形態では、シンクデバイスとしてのＨＭＤ１００では、ソースデバイスとしてのＭｉｒａｃａｓｔアダプター３００が提供する接続許可を示す固有情報を、Ｍｉｒａｃａｓｔアダプター３００の筐体表面に添付されているＱＲコード等を読み取ることによって取得する場合を例に説明したが、これに限定されるものではない。例えば、Ｍｉｒａｃａｓｔアダプター３００の筐体表面に添付されている特定表示パターン、例えば、Ｍｉｒａｃａｓｔ認定表示、装置のロゴ等を、接続許可を示す固有情報としてカメラ６７によって読み取るようにしてもよい。また、Ｍｉｒａｃａｓｔアダプター３００の点灯部３０７において接続許可を示す固有情報に対応する特定の発光パターンを発光させ、ＨＭＤ１００でこの特定の発光パターンを読み取るようにしてもよい。また、Ｍｉｒａｃａｓｔアダプター３００に赤外線発光部を設けて、その赤外線発光部において接続許可を示す固有情報に対応する特定の発光パターンを、例えば、ＩｒＤＡ（Infrared Data Association）に従って発光させ、ＨＭＤ１００でこの発光パターンを読み取るようにしてもよい。また、Ｍｉｒａｃａｓｔアダプター３００にＲＦＩＤ（Radio Frequency Identification）タグを設けて、ＨＭＤ１００でＲＦＩＤに含まれている接続許可を示す固有情報を読み取るようにしてもよい。また、Ｍｉｒａｃａｓｔアダプター３００にスピーカーを設けて、スピーカーが発する固有情報を、ＨＭＤ１００のマイクロホンで集音して読み取るようにしてもよい。すなわち、ソースデバイスとしてのＭｉｒａｃａｓｔアダプター３００が提供する接続許可を示す種々の固有情報を、シンクデバイスとしてのＨＭＤ１００で取得するものであればよい。
【００９０】
Ｃ３．変形例３：
上記第２実施形態では、Ｍｉｒａｃａｓｔ接続のためのアプリケーションを実行後に、ソースデバイスの固有情報の取得動作を実行する（図１２のステップＳ１０１）ものとして説明した。しかしながら、まず、ソースデバイスの固有情報を取得するためのアプリケーション、第２実施形態では、ＱＲコードを読み取るためのアプリケーションを動作させ、ソースデバイスの固有情報の取得をトリガーとして、Ｍｉｒａｃａｓｔ接続のためのアプリケーションを実行するようにしてもよい。
【００９１】
Ｃ４．変形例４：
上記第１実施形態において、上記第２実施形態と同様に、ソースデバイスの固有情報の取得動作を追加してもよい。この場合において、固有情報をソースデバイスのデバイスネームあるいはＭＡＣアドレスとすればよい。この場合には、シンクデバイスにおいて、使用者が対象ソースデバイスを選択する（ステップＳ１０６）必要はなく、取得した固有情報に基づいて自動的に対象ソースデバイスを選択することができる。また、上記変形例３と同様に、ソースデバイスの固有情報の取得をトリガーとして、Ｍｉｒａｃａｓｔ接続のためのアプリケーションを実行するようにしてもよい。
【００９２】
Ｃ５．変形例５：
上記実施形態では、ＨＭＤ１００は、制御部１０と画像表示部２０とが接続部４０を介して接続されている別体型の構造を例に説明したが、これに限定されるものではなく、種々変形可能である。例えば、画像表示部２０内に制御部１０が全て含まれた一体型の構造であってもよく、また、制御部１０の一部が含まれた構造であってもよい。また、制御部１０に備える電源１３０を独立して形成し、交換可能な構造としてもよい。制御部に形成された構成が画像表示部内に重複して形成されていてもよい。例えば、ＣＰＵが制御部と画像表示部との両方に形成されていてもよく、制御部のＣＰＵと、ＨＭＤのＣＰＵとで、それぞれが行う機能が区別されているようにしてもよい。また、制御部をパーソナルコンピューター（ＰＣ）に内蔵し、ＰＣのモニターに代えて画像表示部が使用される態様であってもよく、また、制御部と画像表示部とを一体化して、使用者の衣服に取り付けられるウェアラブルコンピューターの態様であってもよい。
【００９３】
Ｃ６．変形例６：
上記実施形態では、Ｍｉｒａｃａｓｔに非対応の映像機器４００や表示装置５００にＨＭＤＩケーブルを介してＭｉｒａｃａｓｔアダプター３００を接続する構成として説明したが、これに限定されるものではなく、Ｍｉｒａｃａｓｔに非対応の映像機器や表示装置等のＨＤＭＩの入出力端子に差し込む構造のプラグイン型構造のアダプターとしてもよい。
【００９４】
Ｃ７．変形例７：
上記実施形態では、Ｍｉｒａｃａｓｔに対応したＨＭＤ１００と、Ｍｉｒａｃａｓｔアダプター３００と、を例に説明したが、これに限定されるものではなく、例えば、ＨＭＤに替えて、プロジェクターや、スマートフォン、パーソナルコンピューター（ＰＣ）、タブレット端末、携帯型電子機器（メディアプレーヤー、携帯電話など）等の種々のＭｉｒａｃａｓｔに対応しシンクデバイスとして機能可能な種々の装置に適用可能である。
【００９５】
Ｃ８.変形例８：
上記実施形態では、Wi-Fi Allianceによって策定された映像無線伝送規格の一つであるＭｉｒａｃａｓｔを例に説明したが、これに限定されるものではなく、１対１の直接的な無線通信により映像等を伝送するための種々の映像無線伝送規格に適用することができる。
【００９６】
本発明は、上述の実施形態や変形例に限られるものではなく、その趣旨を逸脱しない範囲において種々の構成で実現することができる。例えば、発明の概要の欄に記載した各形態中の技術的特徴に対応する実施形態、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００９７】
１０…制御部
１２…点灯部
１４…タッチパッド
１６…十字キー
１８…電源スイッチ
２０…画像表示部
２１…右保持部
２２…右表示駆動部
２３…左保持部
２４…左表示駆動部
２６…右光学像表示部
２８…左光学像表示部
３０…イヤホンプラグ
３２…右イヤホン
３４…左イヤホン
４０…接続部
４２…右コード
４４…左コード
４６…連結部材
４８…本体コード
５１…送信部
５２…送信部
５３…受信部
６７…カメラ
１００…頭部装着型表示装置（ヘッドマウントディスプレイ，ＨＭＤ）
１１０…入力情報取得部（操作取得部）
１２０…記憶部
１３０…電源
１３２…無線通信部
１４０…ＣＰＵ
１６０…画像処理部
１７０…音声処理部
１７５…カメラ制御部
１８０…インターフェイス
１９０…表示制御部
１９５…Ｍｉｒａｃａｓｔ制御部
２０１…右バックライト制御部（表示駆動部）
２０２…左バックライト制御部（表示駆動部）
２２１…右バックライト（表示駆動部）
２２２…左バックライト（表示駆動部）
２５１…右投写光学系（表示駆動部）
２５２…左投写光学系（表示駆動部）
２６１…右導光板
２６２…左導光板
３００…Ｍｉｒａｃａｓｔアダプター
３０１…電源ボタン
３０３…パススルーボタン
３０５…Ｍｉｒａｃａｓｔ切替スイッチ
３０７…点灯部
３０７Ａ，３０７Ｂ…ＬＥＤ
３１０…ＣＰＵ
３１１…ＯＳ
３１２…ＵＳＢ制御部
３１３…ＨＤＭＩ制御部
３１４…Ｗｉ−Ｆｉ制御部
３１５…パススルー制御部
３１６…Ｍｉｒａｃａｓｔ制御部
３２０…記憶部
３２２…Ｍｉｒａｃａｓｔ設定情報
３３０…電源
３３２…ＡＣアダプター
３４０…ＵＳＢインターフェイス
３５０…ＨＤＭＩ送受信部
３６０…Ｗｉ−Ｆｉ送受信部
４００…映像機器（ＢＤレコーダー）
５００…表示装置（ＴＶ）
６００…コンピューター
１０００…映像表示システム
ＤＬ…接続可能デバイスリスト
ＰＣＬＫ…クロック信号
Ｄａｔａ…画像データ
ＶＳｙｎｃ…垂直同期信号
ＨＳｙｎｃ…水平同期信号
Ｄａｔａ１…右眼用画像データ
Ｄａｔａ２…左眼用画像データ
ＥＡ…終了アイコン
ＯＡ…外部装置
ＳＣ…外景
ＳＤ…表示画面
ＲＥ…右眼
ＬＥ…左眼
ＶＩ…虚像
ＣＰ…確認画面
ＳＰ…映像再生画面
ＶＲ…視野
ＳＴ…スタートボタン
ＭＶ…メニュー画面
【図１】
2015126304.tif 000003
【図２】
2015126304.tif 000004
【図３】
2015126304.tif 000005
【図４】
2015126304.tif 000006
【図５】
2015126304.tif 000007
【図６】
2015126304.tif 000008
【図７】
2015126304.tif 000009
【図８】
2015126304.tif 000010
【図９】
2015126304.tif 000011
【図１０】
2015126304.tif 000012
【図１１】
2015126304.tif 000013
【図１２】
2015126304.tif 000014